(57)【要約】【課題】  配管の点検、清掃、若しくは交換などの作業を行う際に、壁パネル、天井パネル等の仕上げ材、および防水床パン全体を取り除く必要がなく、容易に配管の保守作業が可能なシャワーコアユニット防水床パン構造を提供する。【解決手段】  底面部に開口部が設けられ、開口部の大きさが、排水配管及び給水給湯配管の保守作業が可能な大きさ（好ましくは、開口面積が２００ｃｍ２以上）であるとともに、該開口部を介して給水給湯配管が接続可能である。【選択図】  図２
2006257730.tif 000002
【特許請求の範囲】
【請求項１】
底面部に開口部が設けられ、開口部の大きさが、排水配管及び給水給湯配管の保守作業が可能な大きさであるとともに、該開口部を介して給水給湯配管が接続可能であることを特徴とするシャワーコアユニット防水床パン構造。
【請求項２】
開口部の開口面積が２００ｃｍ２以上であることを特徴とする請求項１記載のシャワーコアユニット防水床パン構造。
【請求項３】
蓋体が開口部を覆うように配設され、該蓋体により開口部が止水されるとともに、該蓋体の上面は排水口に向かって水下となる勾配が設けられていることを特徴とする請求項１又は２記載のシャワーコアユニット防水床パン構造。
【請求項４】
蓋体に給水給湯配管の導入口が設けられていることを特徴とする請求項３記載のシャワーコアユニット防水床パン構造。
【請求項５】
蓋体に設けられた導入口よりユニット内部に給水給湯配管が導入され、導入口が止水処理されてなることを特徴とする請求項４記載のシャワーコアユニット防水床パン構造。
【発明の詳細な説明】
【技術分野】
【０００１】
本発明はシャワーコアユニット防水床パン構造に関する。
【背景技術】
【０００２】
従来、シャワー付きの浴室等のユニットに用いられるシャワーコアユニット防水床パン構造は（以下、単に「防水床パン」ともいう）、図１に示すように、底面部２５に排水のための勾配を設けて、その水下に排水口２を設けることにより、防水床パン１内の排水を行う構造となっており、給水および給湯配管に関しては、防水床パンに給水給湯配管の導入口３，３を設け、導入口３，３を介してシャワーホースと給水給湯配管との接続を行っていた。また、防水床パンの周辺部には壁パネルを設置するための壁乗せ段部４が設けられ、浸水による腐食やカビの防止がなされていた。
【０００３】
しかし、上記のような従来の防水床パン構造においては、排水配管や給水給湯配管に詰まりなどのトラブルが発生した場合に、配管の点検、清掃、若しくは交換などの作業を行う際に、防水床パン全体を取り除く必要が生じることがあり、このため、壁パネル、天井パネル等の仕上げ材を全て取り除く必要が生じ、配管の保守作業に著しく手間がかかるという問題があった。
【発明の開示】
【発明が解決しようとする課題】
【０００４】
本発明の目的は、上記従来の問題点に鑑み、配管の点検、清掃、若しくは交換などの作業を行う際に、壁パネル、天井パネル等の仕上げ材、および防水床パン全体を取り除く必要がなく、容易に配管の保守作業が可能なシャワーコアユニット防水床パン構造を提供することにある。
【課題を解決するための手段】
【０００５】
請求項１記載のシャワーコアユニット防水床パン構造は、底面部に開口部が設けられ、開口部の大きさが、排水配管及び給水給湯配管の保守作業が可能な大きさであるとともに、該開口部を介して給水給湯配管が接続可能であることを特徴とする。
【０００６】
請求項２記載のシャワーコアユニット防水床パン構造は、請求項１記載のシャワーコアユニット防水床パン構造であって、開口部の開口面積が２００ｃｍ２以上であることを特徴とする。
【０００７】
請求項３記載のシャワーコアユニット防水床パン構造は、請求項１又は２記載のシャワーコアユニット防水床パン構造であって、蓋体が開口部を覆うように配設され、該蓋体により開口部が止水されるとともに、該蓋体の上面は排水口に向かって水下となる勾配が設けられていることを特徴とする。
【０００８】
請求項４記載のシャワーコアユニット防水床パン構造は、請求項３記載のシャワーコアユニット防水床パン構造であって、蓋体に給水給湯配管の導入口が設けられていることを特徴とする。
【０００９】
請求項５記載のシャワーコアユニット防水床パン構造は、請求項４記載のシャワーコアユニット防水床パン構造であって、蓋体に設けられた導入口よりユニット内部に給水給湯配管が導入され、導入口が止水処理されてなることを特徴とする。
【発明の効果】
【００１０】
本発明のシャワーコアユニット防水床パン構造は、排水配管及び給水給湯配管の保守作業可能な開口部が底面部に設けられ、該開口部を介して給水給湯配管が接続されていることを特徴とするので、配管の点検、清掃、若しくは交換などの作業を行う際に、壁パネル、天井パネル等の仕上げ材、および防水床パン全体を取り除く必要がなく、容易に配管の保守作業が可能なシャワーコアユニット防水床パン構造を提供することができる。
【００１１】
上記シャワーコアユニット防水床パン構造において、開口部の開口面積が２００ｃｍ２以上である場合には、配管の保守作業における作業性が向上し、上記効果は更に確実なものとなる。
【００１２】
また、上記シャワーコアユニット防水床パン構造において、蓋体が開口部を覆うように配設され、該蓋体により開口部が止水されるとともに、該蓋体の上面は排水口に向かって水下となる勾配が設けられている場合には、上記効果に加えて、ユニットの外部に漏水することがなく、また、排水がスムースに排水口に向かって流れるため、防水床パンの周辺部に設置された壁パネルの浸水を抑制することができる。
【００１３】
また、上記シャワーコアユニット防水床パン構造において、蓋体に給水給湯配管の導入口が設けられている場合には、上記効果に加えて、給水給湯配管をユニット内部に容易に導入することが可能となる。
【００１４】
また、上記シャワーコアユニット防水床パン構造において、蓋体に設けられた導入口よりユニット内部に給水給湯配管が導入され、導入口が止水処理されてなるものであると、上記効果に加えて、接続作業をユニットの内部側で行うことが可能になるとともに、作業時に漏水などが発生した場合でも、ユニットの外部に漏水することなく容易に作業を行うことができる。
【発明を実施するための最良の形態】
【００１５】
以下、本発明を実施するための最良の形態について、図面を参照しつつ説明する。
本発明のシャワーコアユニット防水床パン構造は、図２に例示するように、底面部２５に開口部５が設けられ、開口部５の大きさが、排水配管及び給水給湯配管の保守作業が可能なように、幅８５ｍｍ、長さ６７０ｍｍ程度とされている。また、上記開口部５を介して給水給湯配管が接続可能とされている。
【００１６】
上記開口部５の大きさは、排水配管及び給水給湯配管の保守作業が可能であれば、特に限定されないが、開口面積として２００ｃｍ２以上であることが好ましい。
【００１７】
排水口２の位置は、特に限定されないが、開口部５に近接する底面部２５に設けられると、配管の保守作業がより容易になる点で好ましい。
【００１８】
更にこの場合、図３及び図４に示すように、排水口２に繋がる排水配管１０の配管方向が、例えば、防水床パンの長手方向と直行する方向（図３）若しくは長手方向に平行な方向（図４）など、任意の方向に採りやすく、底面裏面に配設される裏面補強鋼材７やドア下排水配管１１などとの位置取り関係が容易になる点で好ましい。
【００１９】
また、本発明の上記シャワーコアユニット防水床パン構造は、図５及び図６に示すように、蓋体１２が開口部５を覆うように配設され、蓋体１２により開口部５が止水されている。また、蓋体１２の上面は排水口２に向かって水下となる勾配が設けられている。
【００２０】
上記における開口部５の止水方法としては、特に限定されないが、例えば、蓋体１２の内側を水密材で覆って開口部５にビス止めする方法が好ましく、更に、必要に応じ周囲をシリコン系のシール材で止水するとより好ましい。図５に示す１４はビス孔を示す。
【００２１】
上記蓋体１２には、図５に示すように給水給湯配管の導入口１３，１３が各々給水用及び給湯用として設けられている。
【００２２】
更に、図６に示すように、蓋体１２に設けられた導入口１３よりユニット内部に給水給湯配管（図示せず）が導入され、導入口１３が止水処理されている。
【００２３】
上記止水処理の方法としては、特に限定されないが、例えば、ゴムまたは熱可塑性エラストマー製の配管カバーパッキン１５などを用いて止水処理する方法が好ましい。更に必要に応じて周囲をシリコン系のシール材で止水するとより好ましい。
【実施例】
【００２４】
以下、本発明の詳細を実施例に基づいて説明する。
尚、本発明は下記実施例のみに限定されるものではない。
（実施例）
本発明の実施例を図７に示す。図７は、シャワーコアユニット防水床パン１を排水配管１０及び設置状態とともに示す模式図であり、図７（ａ）は模式平面図、図７（ｂ）は側面図である。
【００２５】
本発明の実施例において、排水口２と短辺壁側との間に短辺８５ｍｍ（給水給湯配管導入部は１１８ｍｍ）、長辺６７５ｍｍの開口部５を設けた。開口部面積は約６００ｃｍ２であった。
【００２６】
上記シャワーユニット用防水床パン１について、シャワーユニット用防水床パンのレベル調整、及び排水配管１０の点検・交換の作業性の確認を行った。
（１）シャワーユニット用防水床パンのレベル調整
躯体２０の中にまず防水床パン１を納め、４本の支持脚１８，１９の調整を行った結果、ドア側の２本の支持脚１９の調整は、ドア側の躯体２０は間仕切られていないため、躯体２０の外から防水床パンのドア側を持ち上げることにより調整を行い、躯体２０のＦＬと防水床パンの水上を合わすことにより容易に調整が可能であった。
【００２７】
次に開口部５側の支持脚１８の調整は、周囲が間仕切りにより仕切られているので開口部５からのレベル調整以外に方法はないが、本実施例においては、図８に開口部５付近の拡大断面図を示すように、片手が入る程度の開口部５が設けられているので、支持脚１８の調整用ナットを開口部５からモンキーやスパナなどの工具を導入して容易に調整することが可能であった。
【００２８】
（２）排水配管の取付及び点検、交換
図９に本実施例における排水管１０をＡ〜Ｃの部分に区分して説明する拡大図を示した。図９に示すように、本実施例においては、図中Ｃ部に関してはある程度の長さであらかじめ躯体２０の方に固定しておくことが可能であり、また、Ｂ部に関しては防水床パン１を設置する前に予め所定の寸法のＢ部形状を作成してＡ部に示す排水トラップ９に差し込むことができるため、例えば、Ａ、Ｂ、Ｄ部をあらかじめ作成しておいてから防水床パン１を設置した後に、Ｃ部を開口部５から容易に配管固定を行うことができた。また、開口部５に両手を入れて配管の切断及び接着固定も可能であった。
【００２９】
また、上記において、図４，５，６に示すように、開口部５を介して給水給湯配管が接続可能な導入口１３，１３が設けられ、上面は排水口に向かって水下となる勾配が設けられた蓋体１２を、蓋体１２の内側を水密材で覆って開口部５にビス孔１４によりビス止めして開口部５を覆うように配設し、開口部５の周囲を止水するとともに、蓋体１２に設けられた導入口１３，１３よりユニット内部に給水給湯配管を導入し、導入口１３，１３を配管カバーパッキン１５により止水処理して、本発明のシャワーコアユニット防水床パン構造を得た。
【００３０】
以上のように、本発明の実施例においては、開口部５より配管の接続も可能であり、もちろん点検、取り替えも行うことができるとともに、防水床パンのレベル調整及び排水配管の接続、点検、交換を容易に行うことができることが確認され、配管の点検、清掃、若しくは交換などの作業を行う際に、壁パネル、天井パネル等の仕上げ材、および防水床パン全体を取り除く必要がなく、容易に配管の保守作業が可能なシャワーコアユニット防水床パン構造が得られることが確認できた。
【図面の簡単な説明】
【００３１】
【図１】従来のシャワーコアユニット防水床パン構造の一例を示す模式平面図である。
【図２】本発明に係るシャワーコアユニット防水床パン構造の一例を示す模式平面図である。
【図３】本発明に係るシャワーコアユニット防水床パン構造の他の一例を説明する模式平面図である。
【図４】本発明に係るシャワーコアユニット防水床パン構造の他の一例を説明する模式平面図である。
【図５】本発明における蓋体の一例を示す模式平面図である。
【図６】本発明に係るシャワーコアユニット防水床パン構造を説明する図４のＡ−Ａ断面部の部分拡大断面図である。
【図７】実施例に係るシャワーコアユニット防水床パン構造を排水配管及び設置状態とともに示す模式図であり、図７（ａ）は模式平面図、図７（ｂ）は側面図である。
【図８】実施例における開口部付近の拡大断面図である。
【図９】実施例における排水管をＡ〜Ｃの部分に区分して説明する拡大図である。
【符号の説明】
【００３２】
１  シャワーコアユニット防水床パン
２  排水口
３  導入口
４  壁乗せ段部
５  開口部
７  底面補強鋼材
９  排水トラップ
１０  排水配管
１１  ドア下排水配管
１２  蓋体
１３  導入口
１４  ビス孔
１５  配管カバーパッキン
１６  意匠用カバー
１８  支持脚（開口部側）
１９  支持脚（ドア側）
２０  躯体
２５  底面部
【図１】
2006257730.tif 000003
【図２】
2006257730.tif 000004
【図３】
2006257730.tif 000005
【図４】
2006257730.tif 000006
【図５】
2006257730.tif 000007
【図６】
2006257730.tif 000008
【図７】
2006257730.tif 000009
【図８】
2006257730.tif 000010
【図９】
2006257730.tif 000011